(57)【要約】【課題】折り返し合わせて折りたたむことができ、コンパクトに収納箱に収納することができるブリスタパックを提供する。【解決手段】ブリスタパック１は台紙４０にブリスタカバー５０が熱圧着された構造をしている。ブリスタパック１は、切断線２ａから２ｉによって区分けされており、中央の区間の台紙の一辺と他の台紙の一辺の長さが異なっている。中央の切断線２ｅを軸にブリスタパック１を折り返す。折り返した後に、切断線を軸に蛇腹状に折りたたむ。中央の台紙の一辺の長さが異なるため、蛇腹状に折りたたむことが可能となる。またオフセットが生じることで、従来より、よりコンパクトに折りたたむことが可能となり、収納できる。【選択図】  図１
2005112381.tif 000002
【特許請求の範囲】
【請求項１】
台紙と上記台紙に被着される複数の収納部を有するブリスタカバーとからなるブリスタパックにおいて、
上記収納部は、直線状に配列され、
隣り合う上記収納部の間には、上記台紙及び上記ブリスタカバーに切断線が設けられ、
上記直線状に配列された複数の収納部のうち、中央の収納部が配される台紙の一辺の長さが、他の収納部が配される上記台紙の一辺の長さと異ならされたことを特徴とするブリスタパック。
【請求項２】
上記中央の収納部が配される台紙の一辺は、上記他の収納部が配される台紙の一辺に比較して、上記台紙の厚さと上記ブリスタカバーの厚さの和の２倍以上長いことを特徴とする請求項１に記載のブリスタパック。
【請求項３】
上記台紙の上記ブリスタカバーが被着されていない上記台紙の一面が対向するように、上記ブリスタパックを折り曲げた時に、
重なり合う位置の2つの上記収納部の位置が所定のオフセットを持つようにされたことを特徴とする請求項1に記載のブリスタパック。
【請求項４】
上記収納部に、電池が収納されることを特徴とする請求項1または請求項２に記載のブリスタパック。
【発明の詳細な説明】
【技術分野】
【０００１】
この発明はブリスタパック、特に折り返し合わせてたたむことで、コンパクトに包装箱に収納することができるブリスタパックに関する。
【背景技術】
【０００２】
従来より、複数の収納部を有するブリスタパックは、薬品、コンタクト、ボタン・コイン型電池などを収納する道具として広く利用されている。例えばコンタクトレンズを収納するブリスタパックの例については下記の特許文献１に記載されている。
【特許文献１】特開平９−２４９７１号公報
【発明の開示】
【発明が解決しようとする課題】
【０００３】
図７は従来のブリスタパックの一例を示す。ブリスタパックは台紙に収納部を有するブリスタカバーが熱圧着された構造となっている。図７Ａはブリスタパック７０の断面図である。隣り合う収納部（例えば７１ａと７１ｂの位置関係をいう。）の中心間の長さはａである。また隣り合う収納部の間には、台紙７２に切断線（図示せず）が設けられており、切り離し可能とされ、切断線間の長さもａである。切断線とは例えば、ミシン目、切れ込みなどである。
【０００４】
図７Ｂは、図７Ａのブリスタパック７０を包装箱７３に収納する方法の一例である。ブリスタパック７０をそのまま収納すると、包装箱７３のサイズは大きくなってしまう。そこで、切断線で図７Ｂのように折りたたみながら収納する。このとき、折りたたむことができる範囲は、隣り合う収納部の角部が接触するところまでである。尚、ここで折りたたむとは、図７Ｂの左図に示すように蛇腹状にたたむことをいう。
【０００５】
更に、包装箱７３を小さくするためには、図８Ａに示すように、ブリスタパックをブリスタパック８１および８２の半分に切断し、折り曲げて収納するか、図８Ｂに示すようにブリスタパック７０を切断線で切断し、ひとつずつ単品にして収納する方法がある。
【０００６】
しかし、上述した方法には次のような問題点がある。まず、図７Ｂに示す収納では、ブリスタパックを折りたたむことができる範囲が狭く、コンパクトに収納するには限界がある。
【０００７】
一方、図８Ａや図８Ｂに示す方法では、コンパクトに収納することができるが次のような問題点があった。ブリスタパック７０を切断し、単品にすると購入者が取り扱う際に紛失等をしてしまうおそれがある。また、製造上の観点からは、ブリスタパック７０を切断し単数にすると、箱に収納する数が多くなるため作業工数が多くなってしまい効率が悪くなる。更には、員数間違いの可能性があるなどの問題点があった。
【０００８】
更には、従来の切断線間の長さおよび収納部の中心間の長さが等しいブリスタパック７０の形状では、ブリスタパックを中央の切断線の位置で収納部が熱圧着されていない面同士が接するように折り返した後、折りたたむことができない。この点について図９を用いて説明する。
【０００９】
図９においては、便宜上、収納部を図示しない。台紙の厚さおよびブリスタカバーの厚さの和をｔとし、切断線間の長さをａとする。台紙（図９の説明において、以下、台紙にはブリスタカバーの厚さが含まれるものとする。）を切断線で折り返し、折り返した後の上側の台紙を台紙９１、下側の台紙を台紙９２とする。切断線で折りたたむとすると、台紙９１の端部から切断線までの長さはａとなる。
【００１０】
一方、台紙９２は、台紙９１と連動して折りたたまれることになるが、そのとき必要な長さはａに厚さの２倍、即ち２ｔを加えた長さが必要となる。従って、例えば図７Ａに示す従来のブリスタパック７０では、切断線間の長さが全てａのため、半分に折り返した後に、蛇腹状にたたむことが物理的に不可能となってしまう。
【００１１】
したがって、この発明の目的は、折り返し合わせてたたむことにより、コンパクトに収納することができるブリスタパックを提供することである。
【課題を解決するための手段】
【００１２】
上述した課題を解決するために請求項１の発明は、
台紙と台紙に被着される複数の収納部を有するブリスタカバーとからなるブリスタパックにおいて、
収納部は、直線状に配列され、
隣り合う収納部の間には、台紙及びブリスタカバーに切断線が設けられ、
直線状に配列された複数の収納部のうち、中央の収納部が配される台紙の一辺の長さが、他の収納部が配される台紙の一辺の長さと異ならされたことを特徴とするブリスタパックである。
【発明の効果】
【００１３】
この発明によれば、ブリスタパックのユーザは、ブリスタパックがばらばらにならず、またブリスタパックはコンパクトに収納されているため、取り扱い易さが向上する。
【００１４】
この発明によれば、ブリスタパックの製造工数が多くならないため、生産性を向上することができる。更に、ブリスタパックを収納する容器も小さくすることができ、コストの低減・省資源を図ることができる。
【発明を実施するための最良の形態】
【００１５】
以下、図面を参照しながらこの発明の一実施形態について説明する。一実施形態では、ブリスタパックに収納する製品を、ボタン・コイン型電池とする。図１Ａはブリスタパック１の全体を示す平面図である。ブリスタパックは複数の収納部を有するブリスタカバーと台紙４からなる。
【００１６】
ブリスタパック１は略長方形をした短冊状であり、参照符号３ａから３ｊで示すように収納部が１０箇所設けられている。隣り合う収納部の間には切断線が設けられている。例えば収納部３ａと３ｂの間には切断線２ａが設けられる。この切断線２ａから２ｉは、例えばミシン目、切り込みなどであり、ブリスタパック１はこれらの切断線により切断可能とされる。また切断線２ａから２ｉによって区分けされた区間を参照符号５ａから５ｊで示す。
【００１７】
図１Ｂは、図１Ａで示すブリスタパック１の断面である。参照符号ａは端部から切断線または切断線から次の切断線までの長さを表す。参照符号６ａから参照符号６ｉで示す実線はそれぞれａの長さの中央の位置を示す。参照符号ｂは収納部の中心から、隣り合う収納部の中心までの長さを示す。この一実施形態によるブリスタパック１は切断線２ａから２ｉによって区分けされた区間の中心、具体的には左から五番目の区間の台紙の一辺がａ＋ｘと他の台紙の一辺よりｘだけ長くなっている。
【００１８】
図１Ｃは、ブリスタパック１を切断線２ｅの位置で折り返し、蛇腹状にたたんだ状態を示す。従来のブリスタパックでは上述した通り折り返した状態で蛇腹状に折りたたむことはできない。
【００１９】
この発明の一実施形態では、中央で折り返すと、区間５ｅと区間５ｆが重なる。区間５ｅと区間５ｆは、ｘだけ長さに差があるため、蛇腹状に折りたたむことができる。更にｘの長さの差の分、空間が生じ、図１Ｃの右図に示すように収納部の角部同士が接触することなく折りたたむことができる。図９を用いて上述したとおりｘの長さは、台紙の厚さとブリスタカバーの厚さの和に２を乗じた数より長ければ、コンパクトに折りたたむことができる。
【００２０】
図２はオフセットがある場合と無い場合の対比を示す。ここでオフセットとは、収納部の中心の位置を区間のａの長さの中心よりｃだけずれた長さをいう。図２Ｂのように、中心の区間の切断線間の長さをｘだけ長くすることにより、上述した通り蛇腹状に折りたたむことができる。しかし、参照符号ｄで示す中心部で折り返すと、上下の収納部の位置が一致してしまう。そのため、蛇腹状にたたむと図２Ｂの左図に示すように収納部の角部が接することになり効率的でない。
【００２１】
ここで、図２Ａのようにオフセットを生じるように収納部を配列し、ブリスタパック１を折り返すと、図１Ｃの右図に示すように上下の収納部の位置が重ならず、ずれが生じる。このため、蛇腹状に折りたたむときに収納部の角部同士が接触することなく、コンパクトに折りたたむことができる。従って、中心の区間を長くするだけでなく、オフセットを生じるように収納部の位置をずらすことが好ましい。
【００２２】
図３は、この発明の一実施形態のブリスタパック１を収納する一例である。上述したとおり、この発明によればコンパクトに折りたたむことができ、収納する包装箱３０も小さくすることができる。
【００２３】
次にこの発明のブリスタパックの製造方法について説明する。図４は台紙４０を示す。台紙４０は、形状が略長方形である。大きさは120ｍｍ×222ｍｍの寸法からなる。但し、この寸法に限られず、収納部に収納される製品の大きさ、収納部の大きさ等によって自由な寸法をとることができる。
【００２４】
台紙４０の材質は、紙、プラスチックなどが用いられるが、ブリスタパックと熱圧着し、全体を保持できるものであればその種類は問わない。ただし、ユーザが、ブリスタパックの収納を繰り返す可能性があるため、一定の機械的強度は必要とされる。
【００２５】
台紙４０には、製品を取り出すための切断線による取り出し部（例えば参照符号４１で示す。）が設けられている。この切断線は例えばミシン目、切れ込みなどである。取り出し部の形状は、略円形状になっているが、製品をとりだすことができるのであれば、限定されない。また取り出し部の数は、この一実施形態では縦５個、横１０個の計５０個設けられているが、この数に限定されるものではない。取り出し部を形成する切断線は、後述するブリスタカバーを圧着する前に設けておくことが好ましい。
【００２６】
図５は、ブリスタカバー５０を示す。ブリスタカバー５０は、台紙４０と略等しい大きさであり、突起状の製品の収納部（例えば参照符号５１に示す。）が直線状に配置されている。収納部の形状は、収納する製品によってさまざまな形状を採用することができる。
【００２７】
この一実施形態では、収納部は、上述した台紙４０に設けられた取り出し部の個数に合わせ、縦に５個、横に１０個配置されている。ブリスタカバー５０は収納される製品の外観が見えるように、透明となっている。材質は、ＰＥＴ（ポリエチレンテレフタレート）、ＰＳ（ポリスチレン）などが用いられる。
【００２８】
尚、上述のブリスタカバー５０の形状、材質等は一例であり、限定されるわけではない。製品の大きさに合わせて自由な寸法をとることができ、また材質も製品を収納でき、台紙と熱圧着されることができれば、ＰＥＴやＰＳに限られることはない。ブリスタカバー５０は金型を用いた真空成形、圧空成形、射出成形などにより成形される。
【００２９】
図４に示す台紙４０と、図５に示すブリスタカバー５０は、熱圧着される。またこのほかに接着剤、粘着などの方法をとることができる。
【００３０】
台紙４０とブリスタカバー５０が熱圧着された後、容器に収納できるようにするためブリスタパックを直線状に切断する。図６は、切断に用いる器具の刃の一例を示す図である。長手方向における実線（例えば参照符号６１で示す。外枠の線は除く。）は切断する刃を示す。実線に基づきブリスタパックを切断する。切断することにより図１Ａに示すような１０個ずつの収納部が配される短冊状のブリスタパックに分けられる。
【００３１】
一方、短手方向の破線（例えば参照符号６２で示す。）は、切断線を入れる刃を示す。ここで切断線とは、ミシン目、切れ込みなどである。ブリスタパックを収納するときは、この切断線を軸に蛇腹状に折り曲げる。ユーザは、ブリスタパックを使用する際に、このミシン目を切断して一区画毎に小分けしても良いし、製品を取り出した後もこの切断線をそのままにしておいてもよい。ただし、ハンドリング等を考慮すると、そのままにしておくことが好ましい。
【００３２】
この発明は、上述した一実施形態に限定されるものではなく、この発明の要旨を逸脱しない範囲内でさまざまな変形や応用が可能である。例えば、上述した実施形態では、ボタン・コイン型の電池を収納する例として説明したが、薬品、コンタクトなど収納する製品によって収納部の形状などさまざまな形状にこの発明は適用できる。
【００３３】
また、上述した一実施形態では、中央の収納部が配される台紙の一辺を、他の収納部が配される台紙の一辺よりも長くしたが、反対に短くしても同様の効果を生じることができる。
【図面の簡単な説明】
【００３４】
【図１】この発明のブリスタパックの一実施形態を示す略線図である。
【図２】オフセットがある場合と無い場合の対比を示す略線図である。
【図３】この発明のブリスタパックの収納方法の一例を示す略線図である。
【図４】この発明のブリスタパックに用いる台紙の一例を示す略線図である。
【図５】この発明のブリスタパックに用いるブリスタカバーの一例を示す略線図である。
【図６】この発明のブリスタパックを切断する器具の刃の形状の一例を示す略線図である。
【図７】従来のブリスタパックを示す略線図である。
【図８】従来のブリスタパックを示す略線図である。
【図９】台紙を折り返すのに必要な長さを示す略線図である。
【符号の説明】
【００３５】
１          ブリスタパック
２ａ        切断線
３ａ        収納部
４、４０    台紙
５０        ブリスタカバー
【図１】
2005112381.tif 000003
【図２】
2005112381.tif 000004
【図３】
2005112381.tif 000005
【図４】
2005112381.tif 000006
【図５】
2005112381.tif 000007
【図６】
2005112381.tif 000008
【図７】
2005112381.tif 000009
【図８】
2005112381.tif 000010
【図９】
2005112381.tif 000011